(57)【要約】  本発明は、雑音を減衰させる手段として、その位相を反転させることによる波消去の原理を利用する、２つの容積部分を有する吸引チャンバに関し、その構成は、単純で、効果的で、経済的で、手頃な建設的プロセスを呈する。これは、少なくとも２つの重複した区画（２）および（３）に分割された本体（１）と、本体（１）の外部領域を内部区画（２）および（３）に相互接続する少なくとも２つの流入通路（４）および（５）と、区画（２および３）の間の少なくとも１つの相互接続通路（６）と、本体（１）の下部区画（３）の内部領域を圧縮機空洞（図示せず）に相互接続する１つの流出通路（７）と、によって構成され、流入通路は、本体（１）の外部領域から上部区画（２）の内部まで延在する１つの通路（４）と、本体（１）の外部領域から下部区画（３）の内部まで延在する通路（５）と、を含む。さらに、相互接続通路（６）は、流入通路（４）および（５）の断面よりも大きい断面を有する。
2014521860.tif 000002
【特許請求の範囲】
【請求項１】
吸引チャンバであって、
少なくとも２つの重複した区画（２）および（３）に分割された本体（１）と、
本体（１）の外部領域を内部区画（２）および（３）に相互接続する少なくとも２つの流入通路（４）および（５）と、
区画（２および３）の間の少なくとも１つの相互接続通路（６）と、
本体（１）の下部区画（３）の内部領域を圧縮機空洞（図示せず）に相互接続する１つの流出通路（７）と、を含むことを特徴とする吸引チャンバ。
【請求項２】
前記流入通路（４）および（５）が、
本体（１）の外部領域から上部区画（２）の内部まで延在する１つの通路（４）と、
本体（１）の外部領域から下部区画（３）の内部まで延在する通路（５）と、を含むことを特徴とする、請求項１に記載の吸引チャンバ。
【請求項３】
前記流入通路（４）および（５）が別の断面を呈することを特徴とする、請求項１および２に記載の吸引チャンバ。
【請求項４】
前記通路（４）が通路（５）の断面よりも大きい断面を有することを特徴とする、請求項３に記載の吸引チャンバ。
【請求項５】
前記通路（５）および（６）が、区画（３）の内部において下端を同じレベルに配置した状態で互いに隣接していることを特徴とする、請求項１に記載の吸引チャンバ。
【請求項６】
区画（２および３）の間の前記相互接続通路（６）および流入通路（５）が別の断面を有することを特徴とする、請求項１および５に記載の吸引チャンバ。
【請求項７】
前記相互接続通路（６）が、流入通路（５）の断面よりも大きい断面を有することを特徴とする、請求項６に記載の吸引チャンバ。
【発明の詳細な説明】
【技術分野】
【０００１】
本発明は、雑音を減衰させる手段として音波消去の原理を利用する、２つの容積部分を有する吸引チャンバに関し、その構成は、単純で、効果的で、経済的で、手頃な建設的プロセスを呈する。
【背景技術】
【０００２】
先行技術において周知のように、冷却システムは、動作している間に多くの雑音を生じる冷却ガス圧縮機を用いて機能し、一方では雑音を減衰させる手段の探求に絶えず取り組んでいる。
【０００３】
音響学の原理を基礎として、音は弾性媒体中の波の形態で移動する非常に高速な圧力変化として定義され得ることが知られており、これは一般的に弾性体の振動によって発生し、これが周囲の媒体中の対応する圧力変化を生じる。音は−たとえば距離または時間を表してもよい−軸に沿って移動する円運動として記述される、正弦波によって表されることが可能であり、基準点に対するこのような運動の関係は、位相と称される。
【０００４】
音波消去は、１８０度の位相差にもかかわらず、同じ周波数を有する２つの波が特定の位置で互いに到達するときに生じる。この現象が発生するとき、前記２つの波は消去され、するとこの特定の周波数の雑音を低減する。したがって、位相から１８０度ずれた、同じ周波数を有する２つの波が互いに到達した場合、前記波は消去され、波の振幅が等しいときに総合的な消去が行われることになる。ところが逆に、波は部分的にしか消去されない。
【０００５】
しかしながら、米国特許第５１２５２４１号明細書の対象は、建設的なシステムを極端に複雑に、そして結果的に高額にしてしまう、−たとえばセンサ、マイクロフォン、およびスピーカなどの−複数の電気および電子部品を包含する圧縮機によって発生する雑音を減衰するための、音波消去の原理に基づいている。
【０００６】
韓国第９６０００３３８８号明細書は、特定の角度で折り畳まれて複数の開口部が設けられた主流入管を開示しており、これはその内部に、位相消去の概念を利用することによって音を減衰させるための第二管を設置している。しかしながら、この構成もまた、著しく複雑であって高額でもあり、それに加えて装置に、頻繁にメンテナンスを要する可能性のある問題を生じさせることが、特筆される。
【先行技術文献】
【特許文献】
【０００７】
【特許文献１】米国特許第５１２５２４１号明細書
【特許文献２】韓国公開特許第９６０００３３８８号公報
【発明の概要】
【発明が解決しようとする課題】
【０００８】
本発明の目的の１つは、単純で経済的な建設的ソリューションを利用することにより、システムによって発生する雑音レベルの著しい低減を促進する音波消去の原理を利用する、２つの容積部分を備える吸引チャンバを提供することである。
【０００９】
本発明の第二の目的は、音波消去における、そして結果的には雑音の減衰における、より大きな効果を促進するように、少なくとも２つの容積部分に分割された、吸引チャンバの提供である。
【００１０】
本発明の別の目的は、両方の管を通じて伝達される波のエネルギー／振幅が同等となり、したがってより効果的な波消去を可能にするように、その区画に異なる直径の管が設けられている、吸引チャンバの提供である。
【課題を解決するための手段】
【００１１】
本発明は、少なくとも２つの重複した区画に分割されている本体と、本体の外部領域を内部区画と相互接続する少なくとも２つの流入通路と、区画の間の少なくとも１つの相互接続通路と、本体の下部区画の内部領域を圧縮機空洞と相互接続する１つの流出通路と、を含む吸引チャンバによって、上述の目的を達成する。
【００１２】
本発明の好適な実施形態において、前記流入通路は、本体の外部領域から上部区画の内部まで延在する１つの管と、本体の外部領域から下部区画の内部まで延在する１つの流入管と、を含む。
【００１３】
本発明の好適な実施形態によれば、前記流入通路は別の断面を呈し、好ましくは、上部区画の流入通路は、下部区画の流入通路の断面または直径よりも大きい断面または直径を有する。
【００１４】
下部区画の流入通路および区画の間の相互接続通路は、下部区画の内部において下端を同じレベルに配置した状態で、互いに隣接している。
【００１５】
本発明の好適な実施形態において、下部区画の相互接続通路および流入通路は別の断面を有しており、ここで相互接続通路は最大の断面を有する。
【図面の簡単な説明】
【００１６】
【図１】本発明の好適な実施形態の１つにしたがって組み立てられた、２つの容積部分を備える吸引チャンバの上面図である。
【図２】図１の機器の上部領域のさらなる詳細を示す図である。
【図３】下部チャンバ（Ａ）の流入通路の下端に取り付けられたセンサによって吸収される位相と、上部および下部区画（Ｂ）の間の相互接続通路の下端に取り付けられたセンサによって吸収される値との間の差を示すグラフである。
【発明を実施するための形態】
【００１７】
本発明は、添付図面に示される例に基づいて、以下の通り詳細に記載される。
【００１８】
図１に示されるように、本発明の好適な実施形態にしたがって組み立てられた、位相消去の原理を利用する２つの容積部分を備える吸引チャンバは、少なくとも２つの重複した区画２および３に分割された本体（１）を含み、各区画は対応する流入通路、すなわち本体１の外部領域から上部区画２の内部まで延在する通路４と、本体１の外部領域から下部区画３の内部まで延在する流入通路５と、を含む。
【００１９】
区画２および３は、好ましくは上部区画の下面から下部区画３の中央領域まで延在する相互接続通路６によって、互いに相互接続する。
【００２０】
引用される本体１は、本体１の下部区画３の内部領域を圧縮機空洞（図示せず）に接続する流出通路７を、さらに含む。
【００２１】
本発明の好適な実施形態において、前記通路４および５は別の断面を呈し、ここで通路４の断面が通路５の断面よりも大きいときに、より良好な結果が得られる。
【００２２】
区画２および３の間の相互接続通路６はまた、下部区画３の流入通路の断面または直径よりも大きい断面または直径も呈する。
【００２３】
通路の断面におけるこのような違いは、両者の間の位相差が、圧縮機によって生じる雑音レベルの減衰を−および、周波数間隔によっては最小化も−促進するように、−外部領域から下部区画３へ、および上部区画から下部区画３へ−両方の経路で伝達されるエネルギーを、同時にではないものの同等にする。
【００２４】
このような結果はまた、下部区画３の中間管６および流入管５の配置によってももたらされ、これらは区画３の内部において下端を同じレベルに配置した状態で、互いに隣接したままである。
【００２５】
本発明の好適な実施形態の結果は有限要素法に基づいたシミュレーションによって確認されることが可能であったが、その結果は、図３に示されるように、両方の管−下部区画３の中間管６および流入管５−の出口における位相の差を示すグラフの通りであった。
【００２６】
その再現のため、下部区画３の相互接続通路６および流入通路５の下端にセンサが配置された。このようなグラフは、いくつかの周波数間隔にわたって、下部区画３の相互接続通路６および流入通路５に関する曲線が異なり、曲線の位相が別の曲線の位相に対して対称的に対向して配置される点を生じ、その結果として波消去原理によって生成された音の最小化をもたらすことを、観察できるようにする。
【００２７】
部品の適切な位置決めおよび直径は、本明細書に記載されるアセンブリを用いて作用する位相消去の自然発生をもたらすので、いかなる電気または電子装置あるいはいかなる追加機器も含まずにこのような結果が達成されることは、強調されるべきである。
【００２８】
本明細書は本発明の好適な実施形態に焦点を当てているものの、意図される保護の精神および範囲から逸脱することなく、時折の省略、代替、および変更が当業者によってなされ得ることが理解されることは、さらに公平であるべきである。また、同じ結果を達成するための実質的に同じ手法による同じ機能を有する要素の全ての組み合わせが、本発明の範囲に含まれることも、予測される。別のものによる記載された実施形態の要素の置き換えもまた、完全に予測および検討される。
【００２９】
しかしながら、上述の図面に基づいて提供された説明は本発明のシステムのいくつかの可能な実施形態のみについて言及しており、ここで本発明の目的の真の範囲が添付請求項によって定義されることは、理解されるべきである。
【図１】
2014521860.tif 000003
【図２】
2014521860.tif 000004
【図３】
2014521860.tif 000005
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
吸引チャンバであって、
少なくとも２つの重複した区画（２）および（３）に分割された本体（１）と、
本体（１）の外部領域を内部区画（２）および（３）に相互接続する少なくとも２つの流入通路（４）および（５）であって、
本体（１）の外部領域から上部区画（２）の内部まで延在する１つの通路（４）と、
区画（２および３）の間の少なくとも１つの相互接続通路（６）を通じて本体（１）の外部領域から上部区画（２）へ下部区画（３）の内部まで延在する通路（５）と、を含む前記流入通路（４）および（５）と、
本体（１）の下部区画（３）の内部領域を圧縮機空洞に相互接続する１つの流出通路（７）と、を含むことを特徴とする吸引チャンバ。
【請求項２】
前記流入通路（４）および（５）が別の断面を呈することを特徴とする、請求項１に記載の吸引チャンバ。
【請求項３】
本体（１）の外部領域から上部区画（２）の内部まで延在する前記通路（４）が、本体（１）の外部領域から上部区画（２）へ下部区画（３）の内部まで延在する通路（５）の断面よりも大きい断面を有することを特徴とする、請求項２に記載の吸引チャンバ。
【請求項４】
前記通路（５）および（６）が、区画（３）の内部において下端を同じレベルに配置した状態で互いに隣接していることを特徴とする、請求項１に記載の吸引チャンバ。
【請求項５】
区画（２および３）の間の前記相互接続通路（６）および流入通路（５）が別の断面を有することを特徴とする、請求項１および４に記載の吸引チャンバ。
【請求項６】
前記相互接続通路（６）が、流入通路（５）の断面よりも大きい断面を有することを特徴とする、請求項５に記載の吸引チャンバ。
【国際調査報告】
2014521860.tif 000006
2014521860.tif 000007
2014521860.tif 000008